(57)【要約】【課題】衣服生地に貼り付ける台座シートを用いながら、衣服生地と台座シートとの一体性を確保する台座形成方法を提供する。【解決手段】環状の本体シート11、円形の中間シート12及び接着シート13を積層して一体化した台座シート１を用い、第１工程として、衣服生地２に本体シート11を接面させて中間シート12及び接着シート13を衣服生地に縫着し、第２工程として、衣服生地２と中間シート12及び接着シート13を一体に仮開口17,27及び台形片18,28を設け、第３工程として、仮開口17,27を通して本体シート11及び台形片18,28をひっくり返してシート側開口111及び生地側開口22を一致させた状態で、台座シート１を衣服生地２に接着し、第４工程として、本体シート11の内周縁及び外周縁に沿って前記本体シート11を衣服生地２に縫着して台座41を形成する。【選択図】図19
2020094297.tif 000002
【特許請求の範囲】
【請求項１】
ファンを嵌合させるシート側開口を設けた環状の本体シートと、
外径が前記本体シートと同じ円形の中間シートと、
外径が前記本体シートと同じで、下面に熱融着接着剤層を有する円形の接着シートとを、
前記記載順に積層して一体化した台座シート。
【請求項２】
本体シートは、内周縁及び外周縁から内周側隙間及び外周側隙間を空けた環状の補強層が設けられている請求項１記載の台座シート。
【請求項３】
中間シート及び接着シートは、シート側開口と同心で、前記シート側開口より内径の小さな位置合わせ用開口を設けた請求項１又は２いずれか記載の台座シート。
【請求項４】
ファンを嵌合させるシート側開口を設けた環状の本体シートと、外径が前記本体シートと同じ円形の中間シートと、外径が前記本体シートと同じで、少なくとも下面側に熱融着接着剤層を有する円形の接着シートとを、前記記載順に積層して一体化してなる台座シートを用い、
第１工程として、ファン付き衣服の衣服生地に本体シートを接面させて、本体シートの内周縁に沿って中間シート及び接着シートを衣服生地に縫着し、
第２工程として、衣服生地と中間シート及び接着シートを一体に、本体シートの内周縁より小さな仮開口と、前記仮開口の内周縁から前記本体シートの内周縁までに半径方向の切れ込みを入れて周方向に並ぶ多数の台形片とを設け、
第３工程として、仮開口を通して本体シート及び台形片をひっくり返し、衣服生地と本体シートとで台形片を挟み、本体シートのシート側開口と同じ生地側開口を衣服生地に形成し、前記シート側開口及び生地側開口を一致させた状態で、台座シートを加温して接着シートを衣服生地に接着し、
第４工程として、本体シートの内周縁及び外周縁に沿って前記本体シートを衣服生地に縫着して台座を形成する台座形成方法。
【請求項５】
内周縁及び外周縁から内周側隙間及び外周側隙間を空けた環状の補強層が本体シートに設けられた台座シートを用い、
第４工程として、前記補強層と内周縁及び外周縁との内周側隙間及び外周側隙間に沿って本体シートを衣服生地に縫着する請求項４記載の台座形成方法。
【請求項６】
シート側開口と同心で、前記シート側開口より内径の小さな位置合わせ用開口を中間シート及び接着シートに設けた台座シートを用い、
第１工程前の準備工程として、台座を設ける部分の衣服生地に位置合わせマークを設け、
第１工程として、位置合わせ用開口を前記位置合わせマークの中心又は周縁に揃えて、衣服生地に本体シートを接面させ、本体シートの内周縁に沿って中間シート及び接着シートを衣服生地に縫着する請求項４又は５いずれか記載の台座形成方法。
【請求項７】
請求項４〜６いずれか記載の台座形成方法により、ファンを嵌合させて取り付ける台座を衣服生地に形成したファン付き衣服。
【発明の詳細な説明】
【技術分野】
【０００１】
本発明は、ファン付き衣服にファンを取り付ける台座を形成する台座シート、前記台座シートから形成される台座をファン付き衣服に設ける台座形成方法、そして前記台座シートから形成される台座を設けたファン付き衣服に関する。
【背景技術】
【０００２】
ファン付き衣服は、例えば腰付近に外気を吸気するファンが取り付けられ、腰から襟元に向けて空気を流すことにより、着用者を冷却する。ファンは、回転する樹脂製の羽根を樹脂製ケースで覆った構成であるため、可撓性のある衣服生地にそのまま安定に取り付けることが難しい。このため、ファン付き衣服は、シート側開口を囲む環状の台座シートを、衣服生地に設けた生地側開口と同心にして前記衣服生地に取り付け、前記台座シートから台座を形成する。ファンは、前記台座を挟んで樹脂ケースとリング部材とを一体化し、衣服生地に取り付ける（例えば特許文献１）。
【０００３】
特許文献１は、台座を形成する部材として、本体シート（布により構成された基層）と接着シート（熱融着接着剤により構成された接着層）とを積層し、前記本体シート及び接着シートを貫通するシート側開口（取付孔）を設けた台座シート（衣服用ファン取付用ワッペン）を開示する（特許文献１・［請求項１］）。ファン付き衣服は、衣服生地に設けた生地側開口（衣料用ファン取付用孔）とシート側開口とを合わせた状態で、前記衣服生地に台座シートを接着シートにより貼り付けて、台座を形成する（特許文献１・［0025］）。
【０００４】
生地側開口は、台座を形成したい衣服生地の部分に台座シートを当てがい、台座シートのシート側開口に沿って印をつけた後、例えばハサミにより裁断して形成する（特許文献１・［0034］［0036］）。台座シートは、前述のように形成した生地側開口とシート側開口とが一致するように、衣服生地の上に配置し、当て布を被せた状態でアイロンにより加熱すると、接着シートの熱融解接着剤が融解して、前記衣服生地に貼り付けられる（特許文献１・［0038］［0041］〜［0043］）。
【先行技術文献】
【特許文献】
【０００５】
【特許文献１】特開2017-057547公報
【発明の概要】
【発明が解決しようとする課題】
【０００６】
ファン付き衣服に形成される台座は、衣服生地と裏布とで台座シートを包む構成も見受けられる。台座シートを包み込む台座は、裏布を衣服生地と一体にするため、裏布周囲を衣服生地に縫着することが通例で、台座の周囲に縫着ラインが形成され、見栄えが悪い。これに対し、特許文献１が開示する台座は、外面から見て台座シートしか存在し得ず、周囲に不要な縫着ラインが存在しないことから、審美性に優れている。しかし、特許文献１が開示する台座は、次の問題を抱えている。
【０００７】
台座にファンを安定して取り付けるには、台座シートが十分な強度を有し、かつ台座シートが衣服生地と強固に一体化される必要がある。特許文献１が開示する台座シートは、強度が本体シートの厚みのみに依存し、衣服生地に対して接着シートを介して接着されているだけで、衣服生地との一体性が低い。このため、特許文献１が開示する台座シートが形成する台座は、簡易に形成できるものの、長期にわたってファンを安定して取り付けることができない。
【０００８】
また、特許文献１が開示する台座は、生地側開口が衣服生地を裁断しただけなので、裁断縁から衣服生地がほつれる可能性がある。裁断縁は、台座シートが衣服生地に貼り付いている限り、ほつれが抑制できる。しかし、上述したように、特許文献１が開示する台座シートと衣服生地との一体性は低いため、例えばファン付き衣服を洗濯すれば、台座シートが衣服生地から完全に分離しないまでも、裁断縁のほつれを抑制できなくなる。裁断縁がほつれると、台座シートが浮いた格好となり、台座に対するファンの取付が不安定になる。
【０００９】
衣服生地と台座シートとの一体性は、例えば台座シートを衣服生地に縫着すれば改善される。しかし、衣服生地は、単体では薄過ぎて、縫着部分から破れてしまう虞があり、台座に対するファンの取付が不安定になる。そこで、裏地を使用せずに台座付近の審美性を高めるため、特許文献１のような衣服生地に貼り付ける台座シートを用いながら、衣服生地と台座シートとの一体性を確保するため、台座シート、台座形成方法、そしてファン付き衣服について検討した。
【課題を解決するための手段】
【００１０】
検討の結果開発したものが、ファンを嵌合させるシート側開口を設けた環状の本体シートと、外径が前記本体シートと同じ円形の中間シートと、外径が前記本体シートと同じで、下面に熱融着接着剤層を有する円形の接着シートとを、前記記載順に積層して一体化した台座シートである。本体シートは、保形性及び可撓性のある素材、例えば厚手の織布で構成される。中間シートは、可撓性のある素材、例えば不織布で構成される。接着シートは、可撓性のある素材、例えば不織布で構成され、少なくとも下面に熱融着接着剤層を有すればよい。中間シートは、複数枚あってもよい。本体シート、中間シート及び接着シート相互は、接着又は縫着して一体化するほか、例えば接着シートや熱融着接着剤層を有する中間シートを利用して、熱融着により一体化してもよい。
【００１１】
本体シートは、内周縁及び外周縁から内周側隙間及び外周側隙間を空けた環状の補強層が設けられていると良い。補強層は、台座シートを補強する。また、補強層と内周縁及び外周縁との内周側隙間及び外周側隙間が環状に形成され、前記内周側隙間及び外周側隙間を縫着ラインの目安にできる。補強層は、本体シートの可撓性を損なわなければよく、本体シートと同素材又は異素材である環状のシートを積層して構成したり、例えば織布である本体シートに刺繍を施して形成したりする。また、補強層は、単一条のほか、複数条、例えば内周縁との間に内周側隙間を空けた内周側補強層と、外周縁との間に外周側隙間を空けた外周側補強層を別々に構成してもよい。
【００１２】
中間シート及び接着シートは、シート側開口と同心で、前記シート側開口より内径の小さな位置合わせ用開口を設けるとよい。位置合わせ用開口は、衣服生地に台座シートを載せた状態で、衣服生地に設けた位置合わせ用マークを視認可能にする。位置合わせ用マークは、衣服生地に対する台座シートの位置合わせができればよく、例えば衣服生地に描いた円形マークや円形開口である。位置合わせ用開口が十分小さい場合（例えば内径数mm程度）、位置合わせ用マークの中心を位置合わせ用開口の中心に揃える。位置合わせ用開口が大きい場合（例えば内径１cm以上）、位置合わせ用マークの周縁（円形マークは外周縁、開口は内周縁）を位置合わせ用開口の内周縁に揃える。
【００１３】
本発明の台座形成方法は、ファンを嵌合させるシート側開口を設けた環状の本体シートと、外径が前記本体シートと同じ円形の中間シートと、外径が前記本体シートと同じで、少なくとも下面側に熱融着接着剤層を有する円形の接着シートとを、前記記載順に積層して一体化してなる台座シートを用い、第１工程として、ファン付き衣服の衣服生地に本体シートを接面させて、本体シートの内周縁に沿って中間シート及び接着シートを衣服生地に縫着し、第２工程として、衣服生地と中間シート及び接着シートを一体に、本体シートの内周縁より小さな仮開口と、前記仮開口の内周縁から前記本体シートの内周縁までに半径方向の切れ込みを入れて周方向に並ぶ多数の台形片とを設け、第３工程として、仮開口を通して本体シート及び台形片をひっくり返し、衣服生地と本体シートとで台形片を挟み、本体シートのシート側開口と同じ生地側開口を衣服生地に形成し、前記シート側開口及び生地側開口を一致させた状態で、台座シートを加温して接着シートを衣服生地に接着し、第４工程として、本体シートの内周縁及び外周縁に沿って前記本体シートを衣服生地に縫着して台座を形成する。
【００１４】
第１工程は、衣服生地に位置決めした台座シートを仮固定する。本体シートを衣服生地の表側に出したい場合、台座シートは、衣服生地の裏側に本体シートを接面させる。本体シートを衣服生地の裏側に隠したい場合、台座シートは、衣服生地の裏側に本体シートを接面させる。第２工程は、本体シートをひっくり返す準備として、一体にした中間シート、接着シート及び衣服生地に同じ仮開口及び台形片を設ける。仮開口及び台形片は、順番に設ける場合、どちらを先に設けてもよい。また、仮開口及び台形片は、例えば専用の治具を用いて、同時に設けてもよい。
【００１５】
第３工程は、本体シート及び台形片を一緒に引っくり返して、衣服生地と本体シートとで台形片を挟み、シート側開口及び生地側開口を一致させた状態で、接着シートを衣服生地に接着する。衣服生地と本体シートとに挟まれる台形片は、半径方向の長さを本体シートの半径方向の幅以下とする。台座シートの加温手段として、例えばアイロンを用いる。第４工程は、衣服生地に接着した本体シートの少なくとも内周縁及び外周縁に沿った部分で、本体シートを衣服生地に縫着する。縫着の縫着ラインは、本体シートの内周縁又は外周縁に沿ってそれぞれ１条あればよいが、複数条あってもよい。
【００１６】
本発明の台座形成方法において、内周縁及び外周縁から内周側隙間及び外周側隙間を空けた環状の補強層が本体シートに設けられた台座シートを用い、第４工程として、前記補強層と内周縁及び外周縁との内周側隙間及び外周側隙間に沿って本体シートを衣服生地に縫着すると、補強層と内周縁及び外周縁との内周側隙間及び外周側隙間を縫着ラインの目安にできる。補強層は、本体シートの表面に表れる構成であれば、素材や構造に限定はない。また、設けられる補強層の条数は、問わない例えば１条の補強層は、内周縁と本体シートの内周縁との内周側隙間、そし外周縁と本体シートの外周縁との外周側隙間を用いる。２条以上の補強層は、再内周の補強層の内周縁と本体シートの内周縁との内周側隙間、そして再外周の補強層の外周縁と本体シートの外周縁との外周側隙間を用いる。
【００１７】
また、本発明の台座形成方法において、シート側開口と同心で、前記シート側開口より内径の小さな位置合わせ用開口を中間シート及び接着シートに設けた台座シートを用い、第１工程前の準備工程として、台座を設ける部分の衣服生地に位置合わせマークを設け、第１工程として、位置合わせ用開口を前記位置合わせマークの中心又は周縁に揃えて、衣服生地に本体シートを接面させ、本体シートの内周縁に沿って中間シート及び接着シートを衣服生地に縫着すると、衣服生地に設けた位置合わせ用マークを用いて、前記ファン付き衣服に対する台座シートの位置合わせができる。
【００１８】
ここで、位置合わせ用開口を第２工程における仮開口と同じ大きさにしておくと、位置合わせ用開口は、衣服生地に前記仮開口を設ける際の目安となる。更に、位置合わせ用開口を第２工程における仮開口と同じ大きさにし、位置合わせ用マークとして衣服生地に予め仮開口を設けておくと、位置合わせ用開口及び位置合わせ用マークの内周縁を揃えた第１工程を終えた段階で、すでに第２工程の仮開口を設けるところまで終了し、作業能率を高めることができる。
【００１９】
本発明の台座シートは、特許文献１同様、衣服生地に貼り付け、更に縫着した状態で、本体シートのシート側開口に合わせて中間シート及び衣服生地を切除した台座を形成したファン付き衣服を提供できる。しかし、上述した本発明の台座形成方法により、ファンを嵌合させて取り付ける台座を衣服生地に形成したファン付き衣服は、ファンを嵌合させるシート側開口の内周縁に衣服生地の裁断縁が露出せず、本体シートと衣服生地との間に台形片を挟み、台座シートを衣服生地に接着し、かつ縫着して、強固な台座を形成できる。
【発明の効果】
【００２０】
本発明の台座シートは、本体シート、中間シート及び接着シートを積層した構成で、環状の本体シートと同形の台座を構成する。これにより、台座シートを衣服生地に直接接着して台座を形成しても、前記積層構成を保つ台座は、強度がある。また、接着シートにより衣服生地に接着されるため、衣服生地との一体性も高い。本体シートに設けられる補強層は、本体シートの強度を増すほか、台座シートを衣服生地に縫着する際、本体シートの内周縁及び外周縁寄りの縫着ラインの設定を容易にする。そして、中間シート及び接着シートに設けた位置合わせ用開口は、衣服生地に対する台座シートの位置合わせを容易にする。
【００２１】
本発明の台座シートを用いた台座形成方法は、本体シートを裏返して仮開口の裁断縁を露出させないシート側開口及び生地側開口を形成した状態で、接着シートを衣服生地に接着し、更に本体シートを衣服生地に縫着する。こうして形成された台座は、シート側開口及び生地側開口の内側に裁断縁を露出させず、衣服生地のほつれが防止できる。また、台座は、接着及び縫着の併用により、台座シートと衣服生地との強固な一体化ができる。本体シートと衣服生地とで台形片を挟み込んで形成される台座は、厚みが増し、強度が増す。そして、厚みのある本体シートと衣服生地との縫着は、ほつれにくい利点がある。
【００２２】
補強層と本体シートの内周縁及び外周縁との内周側隙間及び外周側隙間に沿った縫着は、本体シートを衣服生地に縫着する縫着ラインを容易かつ正確に設定し、審美性に優れ、かつほつれにくい縫着を実現する。また、シート側開口と位置合わせマークとを用いた衣服生地に対する台座シートの位置合わせは、面倒な台座シートの位置合わせを容易かつ正確にする。また、シート側開口及び位置合わせマークが仮開口に一致していれば、第２工程で仮開口を設ける手順が省略でき、台座を整形する作業能率を向上させる。
【００２３】
本発明の台座形成方法により台座を衣服生地に形成したファン付き衣服は、ファンを安定して取り付けることのできる台座を有する。これは、積層構造である本発明の台座シートを用いること、本体シートをひっくり返してシート側開口及び生地側開口を一致させ、仮開口の裁断縁を露出させないこと、そして接着及び縫着を併用して台座シートを衣服生地に固定することによる効果である。本発明の台座シートは、衣服生地にそのまま接着するだけで台座を形成できるが、本発明の台座形成手順により台座を形成する方が、ファンを安定して取り付けることのできる台座が形成できる。
【図面の簡単な説明】
【００２４】
【図１】本発明に基づく台座シートの一例を外面側から見た斜視図である。
【図２】本例の台座シートを外面側から見た分解斜視図である。
【図３】準備工程として、位置合わせマークを設けた衣服生地を内面側から見た平面図である。
【図４】第１工程として、位置合わせ開口を位置合わせマークに合わせ、本体シートを衣服生地に接面させた台座シートを衣服生地の内面側から見た平面図である。
【図５】図４中Ａ−Ａ部半径方向断面拡大図である。
【図６】第１工程として、位置合わせプレートの円形開口に台座シートを合わせ、本体シートを衣服生地の内面に接面させた台座シートを衣服生地の内面側から見た平面図である。
【図７】第１工程として、本体シートの内周縁に沿って中間シート及び接着シートを衣服生地に縫着する状態を衣服生地の内面側から見た平面図である。
【図８】図７中Ｂ−Ｂ部半径方向断面拡大図である。
【図９】第２工程として、衣服生地と中間シート及び接着シートを一体に仮開口を設ける状態を衣服生地の内面側から見た平面図である。
【図１０】図９中Ｃ−Ｃ部半径方向断面拡大図である。
【図１１】第２工程として、仮開口の内周縁から本体シートの内周縁の範囲に多数の台形片を設ける状態を衣服生地の内面側から見た平面図である。
【図１２】図10中Ｄ−Ｄ部半径方向断面拡大図である。
【図１３】第３工程として、本体シート及び台形片をひっくり返し、衣服生地と本体シートとで台形片を挟んだ状態を衣服生地の内面側から見た平面図である。
【図１４】図13中Ｅ−Ｅ部半径方向断面拡大図である。
【図１５】第３工程として本体シート及び台形片をひっくり返し、衣服生地と本体シートとで台形片を挟んだ状態を衣服生地の外面側から見た平面図である。
【図１６】図15中Ｆ−Ｆ部半径方向断面拡大図である。
【図１７】第３工程として、シート側開口及び生地側開口を一致させ、台座シートを加温して接着シートを衣服生地に接着した状態を衣服生地の外面側から見た平面図である。
【図１８】図17中Ｇ−Ｇ部半径方向断面拡大図である。
【図１９】第４工程として、内周側隙間及び外周側隙間に沿って本体シートを衣服生地に縫着した状態を衣服生地の外面側から見た平面図である。
【図２０】図19中Ｈ−Ｈ部半径方向断面拡大図である。
【図２１】台座が形成されたファン付き衣服を背面から見た斜視図である。
【発明を実施するための形態】
【００２５】
以下、本発明を実施するための形態について図を参照しながら説明する。本発明の台座シート１は、図１に見られるように、外観上、本体シート11で外周を補強した円盤部材に見える。本例の台座シート１は、図２に見られるように、シート側開口111を設けた環状の本体シート11と、前記本体シート11と同じ環状の補強シート121と、外径が前記本体シート11と同じ円形の中間シート12と、外径が前記本体シート11と同じで、下面に熱融着接着剤層を有する円形の接着シート13とを、前記記載順に積層して一体化した構成である。
【００２６】
本体シート11は、保形性及び可撓性のある環状の織布である。本体シート11は、半径方向の幅は10mm〜20mmが目安とし、取り付けるファンに応じたシート側開口111の内径に前記幅を足して、外径を決定する。本例の本体シート11は、内周縁から内周側隙間113を空けた環状の内周側補強層112と、外周縁から外周側隙間115を空けた環状の外周側補強層114とが設けられている。本例の内周側補強層112及び外周側補強層114は、刺繍である。本例は、内周側隙間113、内周側補強層112、中間の隙間、外周側補強層114及び外周側隙間115が本体シート11を半径方向に５等分した等幅（本体シート11の半径方向の幅が15mmの場合、それぞれ３mmずつ）である。内周側隙間113、内周側補強層112、中間の隙間、外周側補強層114及び外周側隙間115の半径方向の幅は異なってもよい。
【００２７】
中間シート12は、本体シート11の外径に等しく、可撓性のある円形の不織布である。本例の中間シート12は、本体シート11との間に、前記本体シート11と同じ環状で可撓性のある不織布を補強シート121として介装している。補強シート121は、上面及び下面を共に熱融着接着剤層としている。中間シート12は、任意の大きさの仮開口17や台形片18を設ける平面を提供する。また、本例の中間シート12は、中心に小さな孔として位置合わせ開口14を設けている。本例の位置合わせ開口14は、衣服生地２に設けた位置合わせマーク21を中心に揃えることのできる大きさとして、１mm〜２mmを目安とする。
【００２８】
接着シート13は、本体シート11の外径に等しく、可撓性のある円形の不織布で、上面及び下面を共に熱融着接着剤層とする。本例の接着シート13は、上記中間シート12に同じ小さな孔の位置合わせ開口14を設けている。接着シート13位置合わせ開口14は、中間シート12の位置合わせ開口14と大きさが異なってもよい。本例の本体シート11、補強シート121、中間シート12及び接着シート13は、補強シート121及び接着シート13の熱融着接着剤層を利用して、相互に接着して一体化する。本体シート11、補強シート121、中間シート12及び接着シート13は、一体化できればよいため、例えば相互に縫着して一体化してもよい。
【００２９】
本例の台座シート１を用いて、ファン付き衣服４（後掲図21参照）に台座41を形成する台座形成方法について説明する。準備工程として、図３に見られるように、台座41を設ける部分の衣服生地２に位置合わせマーク21を設ける。位置合わせマーク21は、第２工程で衣服生地２に仮開口27を設けることにより、生地側切除片26と共に取り除かれるため、除去不能な印であってもよい。本例の位置合わせマーク21は、油性マジックによる十字模様である。中間シート12及び接着シート13の位置合わせ開口14に中心を揃える観点から、位置合わせマーク21は、小さな点でもよい。
【００３０】
まず、第１工程として、図４及び図５に見られるように、位置合わせ用開口14を、衣服生地２に設けた位置合わせマーク21が中心に来るように揃えて台座シート１を配置する。本例は、衣服生地２の内面に本体シート11を接面させる。すなわち、台座シート１は、裏返して接着シート13が見えるように、衣服生地２の内面に配置する。これにより、ひっくり返した台座シート１は、衣服生地２の外面に本体シート11が視認できる台座41を構成できる。逆に、本体シート11を衣服生地２の内面に隠したい場合、第１工程において、衣服生地２の外面に本体シート11を接面させる。
【００３１】
衣服生地２に対する台座シートの位置合わせは、例えば図６に見られるように、台座シート１の外径と同じ内径の円形開口31を有する位置合わせプレート３を用いる方法もある。縫合作業が自動化されたミシン（例えばレーザー特殊ミシン）は、作業面に対して衣服生地２を特定の姿勢で固定するため、前記衣服生地２に対して一定の位置関係で宛てがわれる位置合わせプレート３を用意しておけば、台座シート１も衣服生地２に対して位置合わせができる。この場合、台座シート１に位置合わせ開口は不要である（図６参照）。
【００３２】
台座シート１の位置合わせを終えると、第１工程として、図７及び図８に見られるように、本体シート11の内周縁（シート側開口111の内周縁）に沿って中間シート12及び接着シート13を衣服生地２に縫着する。第１工程の縫着ライン23は、衣服生地２に対して台座シート１を仮固定し、第２工程において仮開口17,27及び台形片18,28を設ける際、台座シート１が衣服生地２からずれないようにする働きを有する。台形片18,28を形成する切れ込み181,281をシート側開口111の内周縁ぎりぎりにまで延ばすことができるように、第１工程の縫着ライン23は、前記シート側開口111に沿ってもうけるようにするとよい。
【００３３】
台座シート１の仮固定を終えると、第２工程として、図９及び図10に見られるように、第１工程の縫着ライン23により一体にした中間シート12、接着シート13及び衣服生地２に仮開口17,27を設ける。台座シート１側の仮開口17と衣服生地２側の仮開口27とは、一体にした中間シート12、接着シート13及び衣服生地２から同じ円形状のシート側切除片15及び生地側切除片26をカッター又はハサミにより切除して設けられるため、同じ形状でそれぞれの内周縁が一致している。仮開口14,27を設けるため、例えばシート側切除片15に相当する円を中間シート12に描いて、前記円に沿ってシート側切除片15及び生地側切除片26を切除するとよい。
【００３４】
台形片18,28の半径方向の長さは、仮開口17,27の内周縁からシート側開口111の内周縁までの幅で、本体シート11の半径方向の幅より短ければよい。このため、仮開口17,27が正確な円形でなくても、台形片18,28の半径方向の長さが本体シート11の半径方向の幅より短くなれば、仮開口17,27は多角形でも構わない。仮開口17,27を一度に設けることが難しい場合、例えば位置合わせ開口14から半径方向に複数の切れ込みを中間シート12及び接着シート13に設け、前記切れ込みの半径方向外向きの端を結んで仮開口17,27を設ける。この場合、切れ込みの端を周方向の円弧で結ぶと円形の仮開口17,27が設けられ、前記端を直線で結ぶと多角形の仮開口17,27が設けられる。
【００３５】
台座シート１及び衣服生地２に仮開口17,27を設けると、第２工程として、図11及び図12に見られるように、第１工程の縫着ライン23により一体にした中間シート12、接着シート13及び衣服生地２に台形片18,28を設ける。台形片18,28は、仮開口17,27の内周縁から本体シート11の内周縁まで半径方向外向きに延びる多数の切れ込み181,281を、中間シート12、接着シート13及び衣服生地２に入れて、設けられる。切れ込み181,281は、24本〜40本が目安であり、台形片18,28は切れ込み181,281と同数となる。隣り合う切れ込み181,281は、間隔が異なってもよいが、等間隔が望ましい。仮開口17,27同様、台座シート１側の台形片18と衣服生地２側の台形片28とは、同じ形状でそれぞれの外形が一致している。本例の台形片18,28は、半径方向の長さが本体シート11の半径方向の幅の半分弱である。
【００３６】
仮開口17,27及び台形片18,28は、どちらを先に設けてもよい。本例は、位置合わせ開口14を中心に仮開口17,27を先に設け、前記仮開口17,27の内周縁から本体シート11の内周縁にかけて切れ込み181,281を入れることにより、後から台形片18,28を設ける手順としている。逆の手順の場合、切れ込み181,281の終端を本体シート11の内周縁とすることは同じだが、切れ込み181,281の始端が定まらない。これから、仮開口17,27の大きさを決めて、前記仮開口17,27の内周縁より内側に切れ込み181,281の始端を設定する。
【００３７】
仮開口17,27及び台形片18,28を設けた後、第３工程として、図13〜図16に見られるように、仮開口17,27を通して本体シート11及び台形片18,28を一緒に引っくり返し、衣服生地２と本体シート11とで台形片18,28を挟む。衣服生地２の内面には、生地側開口22が形成される（図13参照）。生地側開口22は、衣服生地２と本体シート11とに挟まれた台形片18,28を形成する切れ込み181,281の終端を結んだ円形開口である。切れ込み181,281の終端は、本体シート11の内周縁＝シート側開口111の内周縁にある。これから、生地側開口22とシート側開口111とは一致する。
【００３８】
本体シート11及び台形片18,28を引っくり返した後、第３工程として、図17及び図18に見られるように、シート側開口111及び生地側開口22を一致させた状態で、接着シート13を衣服生地２に接着する。接着シート13は、熱融着接着剤層を衣服生地２に接触させており、例えば本体シート11に接面させたアイロンで台座シート１を加熱する。これにより、アイロンから接着シート13に伝わった熱により前記熱融着接着剤層の熱融着接着剤が一時的に融解し、接着シート13が衣服生地２に接着する。
【００３９】
衣服生地２と本体シート11とに挟まれる台形片18は、接着シート13の一部分も含まれ、引っくり返した接着シート13に接面している。このため、接着シート13を衣服生地２に接着させる際、台座シート１をアイロンで加熱すると、台形片18及び接着シート14の熱融着接着剤が一時的に融解し、強固に一体化される。本例の台形片18は、上述したように、半径方向の長さが本体シート11の半径方向の幅の半分弱である。これから、接着シート14と強固に一体化された台形片18は、本体シート11の幅に収まり、前記本体シート11を補強する芯材として機能する。
【００４０】
接着シート14を衣服生地２に接着した後、第４工程として、図19及び図20に見られるように、内周側隙間113及び外周側隙間115に沿って本体シート11を衣服生地２に縫着すれば、台座41が完成する。第４工程の内周側縫着ライン24及び外周側縫着ライン25は、接着された衣服生地２と台座シート１とを強固に一体化する働きがある。特に、台形片18,28を衣服生地２と共に挟んだ本体シート11の部分は、内周側縫着ライン24を設けることにより、前記台形片18,28の分離が防止される。内周側縫着ライン24及び外周側縫着ライン25を設ける順番は自由であるが、内周側縫着ライン24を設けた後、外周側縫着ライン25を設ける方が、台座シート1を平坦に保ちやすい。
【００４１】
内周側補強層112及び外周側補強層114により形成される内周側隙間113及び外周側隙間115は、それぞれ内周側縫着ライン24及び外周側縫着ライン25の目安である。内周側縫着ライン24及び外周側縫着ライン25は、内周側隙間113及び外周側隙間115の延在方向に沿って形成できれば、前記内周側隙間113及び外周側隙間115の範囲で蛇行しても構わない。これにより、内周側縫着ライン24及び外周側縫着ライン25が手作業により形成される場合でも、作業者の違いによる内周側縫着ライン24及び外周側縫着ライン25のばらつきが抑制され、台座41の品質が保証される。
【００４２】
こうして、本発明の台座シート１を用いると、図21に見られるように、衣服生地２に台座シート1を貼り付け、更に縫着して構成される台座41を有するファン付き衣服４が提供できる。本発明により台座41を設けたファン付き衣服４は、台形片28を折り返してシート側開口111に一致する生地側開口22を形成しているから、ファン（図示略）を嵌合させるシート側開口111の内周縁に衣服生地２の裁断縁が露出しない。また、本発明により台座41を設けたファン付き衣服４は、本体シート11と衣服生地２との間に台形片18,28を挟み、台座シート１を衣服生地２に接着かつ縫着して、強固な台座41を形成する。
【符号の説明】
【００４３】
１  台座シート
11  本体シート
111  シート側開口
112  内周側補強層
113  内周側隙間
114  外周側補強層
115  外周側隙間
12  中間シート
121  補強シート
13  接着シート
14  位置合わせ開口
15  シート側切除片
17  仮開口
18  台形片
181  切れ込み
２  衣服生地
21  位置合わせマーク
22  生地側開口
23  第１工程の縫着ライン
24  第４工程の内周側縫着ライン
25  第４工程の外周側縫着ライン
26  生地側切除片
27  仮開口
28  台形片
281  切れ込み
３  位置合わせプレート
31  円形開口
４  ファン付き衣服
41  台座
【図１】
2020094297.tif 000003
【図２】
2020094297.tif 000004
【図３】
2020094297.tif 000005
【図４】
2020094297.tif 000006
【図５】
2020094297.tif 000007
【図６】
2020094297.tif 000008
【図７】
2020094297.tif 000009
【図８】
2020094297.tif 000010
【図９】
2020094297.tif 000011
【図１０】
2020094297.tif 000012
【図１１】
2020094297.tif 000013
【図１２】
2020094297.tif 000014
【図１３】
2020094297.tif 000015
【図１４】
2020094297.tif 000016
【図１５】
2020094297.tif 000017
【図１６】
2020094297.tif 000018
【図１７】
2020094297.tif 000019
【図１８】
2020094297.tif 000020
【図１９】
2020094297.tif 000021
【図２０】
2020094297.tif 000022
【図２１】
2020094297.tif 000023